(57)【要約】【課題】  広いズーム域においてＦナンバーを小さくしつつ、高い光学性能を有するズームレンズを実現すること。【解決手段】  ズームレンズＢ０は、物体側から像側へ順に配置された正の屈折力の第１レンズ群Ｂ１、負の屈折力の第２レンズ群Ｂ２、正の屈折力の第３レンズ群Ｂ３、負の屈折力の第４レンズ群Ｂ４、正の屈折力の第５レンズ群Ｂ５で構成される。第１乃至第５レンズ群はいずれもズーミングに際して移動する。第５レンズ群Ｂ５は負レンズを含み、第５レンズ群Ｂ５に含まれる負レンズのうち最も像側に配置された負レンズと該負レンズの物体側に隣接して配置されたレンズの間には空気レンズが形成さる。ズームレンズＢ０は所定の条件式を満足する。【選択図】  図１
2020197600.tif 000002
【特許請求の範囲】
【請求項１】
物体側から像側へ順に配置された正の屈折力の第１レンズ群、負の屈折力の第２レンズ群、正の屈折力の第３レンズ群、負の屈折力の第４レンズ群、正の屈折力の第５レンズ群から成り、ズーミングに際して隣り合うレンズ群の間隔が変化するズームレンズであって、
前記第１乃至第５レンズ群はいずれもズーミングに際して移動し、
前記第５レンズ群は負レンズを含み、
前記第５レンズ群に含まれる負レンズのうち最も像側に配置された負レンズと該負レンズの物体側に隣接して配置されたレンズの間には負の屈折力の空気レンズが形成され、
前記第１レンズ群の焦点距離をｆ１、前記第２レンズ群の焦点距離をｆ２、前記空気レンズの物体側の面の曲率半径をＡＲ１、前記空気レンズの像側の面の曲率半径をＡＲ２とするとき、
４．８＜ｆ１／｜ｆ２｜＜５．４
−１．６５＜（ＡＲ２＋ＡＲ１）／（ＡＲ２−ＡＲ１）＜−０．８５
なる条件式を満足することを特徴とするズームレンズ。
【請求項２】
前記第５レンズ群は２つの接合レンズを有することを特徴とする請求項１に記載のズームレンズ。
【請求項３】
前記第４レンズ群の焦点距離をｆ４とするとき、
０．２６＜ｆ２／ｆ４＜０．５５
なる条件式を満足することを特徴とする請求項１または２に記載のズームレンズ。
【請求項４】
前記第５レンズ群の焦点距離をｆ５とするとき、
０．２６＜｜ｆ２｜／ｆ５＜０．３８
なる条件式を満足することを特徴とする請求項１乃至３のいずれか一項に記載のズームレンズ。
【請求項５】
前記第５レンズ群の焦点距離をｆ５、前記ズームレンズの広角端におけるバックフォーカスをｗｓｋとするとき、
３．５０＜ｆ５／ｗｓｋ＜５．７０
なる条件式を満足することを特徴とする請求項１乃至４のいずれか一項に記載のズームレンズ。
【請求項６】
前記ズームレンズの広角端におけるバックフォーカスをｗｓｋとするとき、
１．１０＜｜ｆ２｜／ｗｓｋ＜１．７０
なる条件式を満足することを特徴とする請求項１乃至５のいずれか一項に記載のズームレンズ。
【請求項７】
前記ズームレンズの望遠端における焦点距離をｆｔとするとき、
０．８５＜ｆ１／ｆｔ＜１．２０
なる条件式を満足することを特徴とする請求項１乃至６のいずれか一項に記載のズームレンズ。
【請求項８】
前記ズームレンズの広角端における焦点距離をｆｗとするとき、
０．６０＜｜ｆ２｜／ｆｗ＜０．７５
なる条件式を満足することを特徴とする請求項１乃至７のいずれか一項に記載のズームレンズ。
【請求項９】
前記第５レンズ群の焦点距離をｆ５、前記ズームレンズの望遠端における焦点距離をｆｔとするとき、
０．５０＜ｆ５／ｆｔ＜０．７５
なる条件式を満足することを特徴とする請求項１乃至８のいずれか一項に記載のズームレンズ。
【請求項１０】
フォーカシングに際して前記第２レンズ群が移動することを特徴とする請求項１乃至９のいずれか一項に記載のズームレンズ。
【請求項１１】
像振れ補正に際して前記第４レンズ群の少なくとも一部が移動することを特徴とする請求項１乃至１０のいずれか一項に記載のズームレンズ。
【請求項１２】
前記第５レンズ群は全体として５枚のレンズで構成されていることを特徴とする請求項１乃至１１のいずれか一項に記載のズームレンズ。
【請求項１３】
請求項１乃至１２のいずれか一項に記載のズームレンズと、前記ズームレンズによって形成される光学像を光電変換する撮像素子と、を有することを特徴とする撮像装置。
【発明の詳細な説明】
【技術分野】
【０００１】
本発明は、ズームレンズに関し、ビデオカメラ、スチルカメラ、放送用カメラ、銀塩フィルム用カメラ、監視用カメラ等の撮像装置に好適なものである。
【背景技術】
【０００２】
広いズーム域においてＦナンバーが小さく、高い光学性能を有するズームレンズが求められている。
【０００３】
特許文献１には、正の屈折力の第１レンズ群、負の屈折力の第２レンズ群、正の屈折力の第３レンズ群、負の屈折力の第４レンズ群、正の屈折力の第５レンズ群で構成されたズームレンズが開示されている。
【先行技術文献】
【特許文献】
【０００４】
【特許文献１】特開２００５−３５２１８３号公報
【発明の概要】
【発明が解決しようとする課題】
【０００５】
特許文献１に記載のズームレンズは、変倍比が１４程度、Ｆナンバー１．８５から２．７程度となっておりズーム比が高くＦナンバーが小さい。しかしながら、ズームレンズを小型に構成しつつ高い光学性能を得るという点においては特許文献１に記載のズームレンズでは不十分であった。
【０００６】
そこで本発明は、広いズーム域においてＦナンバーを小さくしつつ、高い光学性能を有するズームレンズを提供することを目的とする。
【課題を解決するための手段】
【０００７】
本発明のズームレンズは、物体側から像側へ順に配置された正の屈折力の第１レンズ群、負の屈折力の第２レンズ群、正の屈折力の第３レンズ群、負の屈折力の第４レンズ群、正の屈折力の第５レンズ群から成り、ズーミングに際して隣り合うレンズ群の間隔が変化するズームレンズであって、前記第１乃至第５レンズ群はいずれもズーミングに際して移動し、前記第５レンズ群は負レンズを含み、前記第５レンズ群に含まれる負レンズのうち最も像側に配置された負レンズと該負レンズの物体側に隣接して配置されたレンズの間には負の屈折力の空気レンズが形成され、前記第１レンズ群の焦点距離をｆ１、前記第２レンズ群の焦点距離をｆ２、前記空気レンズの物体側の面の曲率半径をＡＲ１、前記空気レンズの像側の面の曲率半径をＡＲ２とするとき、
４．８＜ｆ１／｜ｆ２｜＜５．４
−１．６５＜（ＡＲ２＋ＡＲ１）／（ＡＲ２−ＡＲ１）＜−０．８５
なる条件式を満足することを特徴とする。
【発明の効果】
【０００８】
本発明によれば、広いズーム域においてＦナンバーを小さくしつつ、高い光学性能を有するズームレンズを実現することができる。
【図面の簡単な説明】
【０００９】
【図１】実施例１のズームレンズの断面図である。
【図２】実施例１のズームレンズの収差図である。
【図３】実施例２のズームレンズの断面図である。
【図４】実施例２のズームレンズの収差図である。
【図５】実施例３のズームレンズの断面図である。
【図６】実施例３のズームレンズの収差図である。
【図７】撮像装置の概略図である。
【発明を実施するための形態】
【００１０】
以下、本発明のズームレンズ及びそれを有する撮像装置の実施例について、添付の図面に基づいて説明する。
【００１１】
図１、３、５に、実施例１乃至３のズームレンズの断面図を示す。
【００１２】
各実施例のズームレンズＢ０はデジタルスチルカメラ、ビデオカメラ、銀塩フィルム用カメラ、放送用カメラなどの撮像装置やプロジェクタ等の投射装置に用いられるものである。レンズ断面図において、左方が物体側（拡大側）で、右方が像側（縮小側）である。
【００１３】
各レンズ断面図において、Ｂｉ（ｉは自然数）は物体側から像側へ順に配置された各レンズ群である。なお、本願明細書におけるレンズ群とは１または複数のレンズから構成されるズームレンズＢ０の構成要素である。各実施例のズームレンズＢ０において、広角端から望遠端へのズーミングに際して隣り合うレンズ群の間隔は変化する。
【００１４】
また、ＳＰは開放Ｆナンバーの光束を決定（制限）する開口絞りである。ＩＰは像面であり、ズームレンズＢ０をビデオカメラやデジタルスチルカメラの撮影光学系として使用する際にはＣＣＤセンサやＣＭＯＳセンサ等の撮像素子（光電変換素子）の撮像面が置かれる。ＧＢは光学フィルター、フェースプレート、ローパスフィルター、赤外カットフィルターなどに相当する光学ブロックである。
【００１５】
各レンズ断面図に示した矢印は、広角端から望遠端へのズーミングに際しての各レンズ群の移動軌跡を簡略化して表したものである。なお、本願明細書において広角端および望遠端は各レンズ群が、機構上、光軸上を移動可能な範囲の両端に位置したときのズーム位置をいう。
【００１６】
各実施例のズームレンズＢ０は、物体側から像側へ順に配置された、正の屈折力の第１レンズ群Ｂ１、負の屈折力の第２レンズ群Ｂ２、正の屈折力の第３レンズ群Ｂ３、負の屈折力の第４レンズ群Ｂ４、正の屈折力の第５レンズ群Ｂ５を有する。各実施例のズームレンズＢ０では、すべてのレンズ群を移動させることでズーミングが行われる。また、各実施例のズームレンズＢ０の第５レンズ群Ｂ５は負レンズを含んでおり、第５レンズ群Ｂ５に含まれる負レンズのうち最も像側に配置された負レンズと該負レンズの物体側に隣接して配置されたレンズの間には負の屈折力の空気レンズが形成されるように構成されている。
【００１７】
実施例１のズームレンズＢ０はズーム比３．７５、ズーム全域でＦナンバー２．８５程度となっている。
【００１８】
実施例２のズームレンズＢ０はズーム比３．５５、ズーム全域でＦナンバー２．８５程度となっている。
【００１９】
実施例３のズームレンズＢ０はズーム比３．６９、ズーム全域でＦナンバー２．８５程度となっている。
【００２０】
各実施例のズームレンズＢ０は第２レンズ群Ｂ２を光軸上に移動させることでフォーカシングを行うことができる。
【００２１】
図２、４、６に、実施例１乃至３のズームレンズＢ０の収差図を示す。各収差図はそれぞれ無限遠合焦時について表しており、（Ａ）は広角端における収差図、（Ｂ）は中間ズーム位置における収差図、（Ｃ）は望遠端における収差図である。
【００２２】
収差図においてＦｎｏはＦナンバー、ωは半画角（度）であり、近軸計算による画角である。球面収差図において、直線はｄ線（波長５８７．５６ｎｍ）、二点鎖線はｇ線（波長４３５．８３５ｎｍ）について示している。
【００２３】
非点収差図においてＳはサジタル像面におけるｄ線、Ｍはメリディオナル像面におけるｄ線について示している。歪曲収差図はｄ線について示している。色収差図はｄ線に対するｇ線の倍率色収差量について示している。
【００２４】
次に、各実施例のズームレンズＢ０の特徴について説明する。
【００２５】
一般に、正の屈折力の第１レンズ群、負の屈折力の第２レンズ群、正の屈折力の第３レンズ群、負の屈折力の第４レンズ群、正の屈折力の第５レンズ群から成るズームレンズは、小型、高ズーム比、高性能を達成できるものとして知られている。
【００２６】
各実施例のズームレンズＢ０では、第５レンズ群Ｂ５に比較的強い屈折力を有する空気レンズを設けている。これにより、各実施例のズームレンズＢ０では広角端での倍率色収差や像面湾曲を良好に補正することが可能となる。さらに、広角端から望遠端へのズーミングに際してすべてのレンズ群を移動させることにより、ズーミングに伴う諸収差の変動を低減させている。
【００２７】
また、各実施例のズームレンズＢ０は以下の条件式を満足する。
４．８０＜ｆ１／｜ｆ２｜＜５．４０  （１）
−１．６５＜（ＡＲ２＋ＡＲ１）／（ＡＲ２−ＡＲ１）＜−０．８５  （２）
【００２８】
ここで、ｆ１は第１レンズ群Ｂ１の焦点距離、ｆ２は第２レンズ群Ｂ２の焦点距離である。また、ＡＲ１は第５レンズ群Ｂ５に含まれる負レンズのうち最も像側に配置された負レンズの物体側の空気レンズの物体側の面の曲率半径、ＡＲ２は該空気レンズの像側の面の曲率半径である。
【００２９】
条件式（１）は、第１レンズ群Ｂ１の焦点距離と第２レンズ群Ｂ２の焦点距離の比として好ましい範囲を規定するものである。
【００３０】
条件式（１）の上限を超えて、第２レンズ群Ｂ２の焦点距離の絶対値が小さくなりすぎると、特に広角端での倍率色収差や歪曲収差の補正が困難となる。
【００３１】
条件式（１）の下限を下回って、第２レンズ群Ｂ２の焦点距離の絶対値が大きくなりすぎると収差は抑制し易くなるが、所望の変倍量を確保するために各レンズ群の移動量が増加し全系の大型化を招いてしまう。
【００３２】
条件式（２）は、第５レンズ群Ｂ５の最も像側の負レンズの物体側の空気レンズの好ましい形状を規定するものである。
【００３３】
条件式（２）の上限を超えて、空気レンズの物体側の正の曲率が強くなりすぎると空気レンズの負の屈折力が強くなりすぎ、特に広角端での像面湾曲の補正が困難となる。
【００３４】
条件式（２）の下限を下回って、空気レンズの像面側の負の曲率が強くなりすぎると特に広角端での倍率色収差の補正が困難となる。
【００３５】
以上の構成により、広いズーム域においてＦナンバーを小さくしつつ、高い光学性能を有するズームレンズを得ることができる。
【００３６】
なお、上述した条件式（１）、（２）の数値範囲は以下の条件式（１ａ）、（２ａ）のように設定することがより好ましい。
４．８４＜ｆ１／｜ｆ２｜＜５．３５  （１ａ）
−１．６３＜（ＡＲ２＋ＡＲ１）／（ＡＲ２−ＡＲ１）＜−０．８６  （２ａ）
【００３７】
また、条件式（１ａ）、（２ａ）の数値範囲は以下の条件式（１ｂ）、（２ｂ）のように設定することがさらに好ましい。
４．８８＜ｆ１／｜ｆ２｜＜５．３８  （１ｂ）
−１．６０＜（ＡＲ２＋ＡＲ１）／（ＡＲ２−ＡＲ１）＜−０．８７  （２ｂ）
【００３８】
また、各実施例のズームレンズＢ０は以下の条件式（３）乃至（９）を１つ以上満足することが好ましい。ここで、ｆ４は第４レンズ群Ｂ４の焦点距離である。ｆ５は第５レンズ群Ｂ５の焦点距離である。ｗｓｋは広角端におけるズームレンズＢ０の空気換算でのバックフォーカスである。ｆｔは望遠端におけるズームレンズＢ０の焦点距離である。ｆｗは広角端におけるズームレンズＢ０の焦点距離である。
０．２６＜ｆ２／ｆ４＜０．５５  （３）
０．２６＜｜ｆ２｜／ｆ５＜０．３８  （４）
３．５０＜ｆ５／ｗｓｋ＜５．７０  （５）
１．１０＜｜ｆ２｜／ｗｓｋ＜１．７０  （６）
０．８５＜ｆ１／ｆｔ＜１．２０  （７）
０．６０＜｜ｆ２｜／ｆｗ＜０．７５  （８）
０．５０＜ｆ５／ｆｔ＜０．７５  （９）
【００３９】
条件式（３）は、第２レンズ群Ｂ２の焦点距離と第４レンズ群Ｂ４の焦点距離の比として好ましい範囲を規定するものである。
【００４０】
条件式（３）の上限を超えて第２レンズ群Ｂ２の焦点距離が小さくなりすぎると、収差は抑制し易くなるが、所望の変倍量を確保するために各レンズ群の移動量が増加しズームレンズＢ０の大型化を招きやすく好ましくない。
【００４１】
条件式（３）の下限を下回って第２レンズ群Ｂ２の焦点距離が大きくなりすぎると、特に広角端での倍率色収差や歪曲収差の補正が困難となる。
【００４２】
条件式（４）は、第２レンズ群Ｂ２の焦点距離と第５レンズ群Ｂ５の焦点距離の比として好ましい範囲を規定するものである。
【００４３】
条件式（４）の上限を超えて第２レンズ群Ｂ２の焦点距離の絶対値が大きくなりすぎると、収差は抑制し易くなるが、所望の変倍量を確保するために各レンズ群の移動量が増加し全系の大型化を招きやすく好ましくない。
【００４４】
条件式（４）の下限を下回って第２レンズ群Ｂ２の焦点距離の絶対値が小さくなりすぎると、特に広角端での倍率色収差や歪曲収差の補正が困難となる。
【００４５】
条件式（５）は、第５レンズ群Ｂ５の焦点距離と広角端のバックフォーカスの比として好ましい範囲を規定するものである。
【００４６】
条件式（５）の上限を超えて第５レンズ群Ｂ５の焦点距離が大きくなりすぎると、収差は抑制し易くなるが、所望の変倍量を確保するために各レンズ群の移動量が増加し全系の大型化を招きやすく好ましくない。
【００４７】
条件式（５）の下限を下回って第５レンズ群Ｂ５の焦点距離が小さくなりすぎると、特に望遠端での軸上率色収差の補正が困難となる。
【００４８】
条件式（６）は、第２レンズ群Ｂ２の焦点距離と広角端でのバックフォーカスの比として好ましい範囲を規定するものである。
【００４９】
条件式（６）の上限を超えて第２レンズ群Ｂ２の焦点距離の絶対値が大きくなりすぎると、収差は抑制し易くなるが、所望の変倍量を確保するために各レンズ群の移動量が増加し全系の大型化を招きやすく好ましくない。
【００５０】
条件式（６）の下限を下回って第２レンズ群Ｂ２の焦点距離の絶対値が小さくなりすぎると、特に広角端での像面湾曲や歪曲収差の補正が困難となる。
【００５１】
条件式（７）は、第１レンズ群Ｂ１の焦点距離と望遠端における全系の焦点距離の比として好ましい範囲を規定するものである。
【００５２】
条件式（７）の上限を超えて第１レンズ群Ｂ１の焦点距離が大きくなりすぎると、収差は抑制し易くなるが、所望の変倍量を確保するために各レンズ群の移動量が増加し全系の大型化を招きやすく好ましくない。
【００５３】
条件式（７）の下限を下回って第１レンズ群Ｂ１の焦点距離が小さくなりすぎると、特に望遠端での球面収差や軸上色収差の補正が困難となる。
【００５４】
条件式（８）は、第２レンズ群Ｂ２の焦点距離と広角端における全系の焦点距離の比として好ましい範囲を規定するものである。
【００５５】
条件式（８）の上限を超えて第２レンズ群Ｂ２の焦点距離の絶対値が大きくなりすぎると、収差は抑制し易くなるが、所望の変倍量を確保するために各レンズ群の移動量が増加し全系の大型化を招きやすく好ましくない。
【００５６】
条件式（８）の下限を下回って第２レンズ群Ｂ２の焦点距離の絶対値が小さくなりすぎると、特に望遠端での球面収差や軸上色収差の補正が困難となる。
【００５７】
条件式（９）は、第５レンズ群Ｂ５の焦点距離と望遠端における全系の焦点距離の比として好ましい範囲を規定するものである。
【００５８】
条件式（９）の上限を超えて第５レンズ群Ｂ５の焦点距離が大きくなりすぎると、収差は抑制し易くなるが、所望の変倍量を確保するために各レンズ群の移動量が増加し全系の大型化を招きやすく好ましくない。
【００５９】
条件式（９）の下限を下回って第５レンズ群Ｂ５の焦点距離が小さくなりすぎると、特に広角端での倍率収差や望遠端での軸上収差の補正が困難となる。
【００６０】
上述した条件式（３）乃至（９）の数値範囲は以下の条件式（３ａ）乃至（９ａ）のように設定することがより好ましい。
０．２７＜ｆ２／ｆ４＜０．５４  （３ａ）
０．２７＜｜ｆ２｜／ｆ５＜０．３７  （４ａ）
３．５５＜ｆ５／ｗｓｋ＜５．６０  （５ａ）
１．１５＜｜ｆ２｜／ｗｓｋ＜１．６７  （６ａ）
０．８６＜ｆ１／ｆｔ＜１．１５  （７ａ）
０．６３＜｜ｆ２｜／ｆｗ＜０．７４  （８ａ）
０．５２＜ｆ５／ｆｔ＜０．７２  （９ａ）
【００６１】
また、条件式（３ａ）乃至（９ａ）の数値範囲は以下の条件式（３ｂ）乃至（９ｂ）のように設定することがさらに好ましい。
０．２８＜ｆ２／ｆ４＜０．５３  （３ｂ）
０．２８＜｜ｆ２｜／ｆ５＜０．３６  （４ｂ）
３．６０＜ｆ５／ｗｓｋ＜５．５５  （５ｂ）
１．２０＜｜ｆ２｜／ｗｓｋ＜１．６３  （６ｂ）
０．８７＜ｆ１／ｆｔ＜１．１０  （７ｂ）
０．６５＜｜ｆ２｜／ｆｗ＜０．７３５  （８ｂ）
０．５４＜ｆ５／ｆｔ＜０．６９  （９ｂ）
【００６２】
また、各実施例のズームレンズＢ０において、第５レンズ群Ｂ５は２組の接合レンズを有し、第５レンズ群Ｂ５全体として５枚のレンズで構成することが好ましい。物体側に配置される接合レンズにより望遠端での軸上色収差を補正し、像側の接合レンズにより広角端での倍率色収差の補正することが容易となる。また、第５レンズ群Ｂ５を５枚構成とすることでズームレンズＢ０の小型化と高性能化をバランスよく達成することができる。
【００６３】
また、各実施例のズームレンズＢ０のように、第２レンズ群Ｂ２を光軸に沿って物体側へ繰り出すことでフォーカシングを行うことが好ましい。これによりフォーカシングに伴う諸収差の変動を少なくできる。
【００６４】
また、第４レンズ群Ｂ４の全部または一部を光軸に対して垂直な成分を含むように移動させて撮影時の像振れの抑制を行うことが好ましい。第４レンズ群Ｂ４は全系の中で特に小径となるため、像振れ補正の駆動機構を小型化できる。結果として、ズームレンズＢ０を有するレンズ装置を小型に構成することができる。
【００６５】
次に、実施例１乃至３のそれぞれに対応する数値実施例１乃至３を示す。各数値実施例において、面番号は物体側から数えた際の光学面の順序を示す。ｒは光学面の曲率半径、ｄは光学面同士の間隔である。ｎｄ、νｄは、それぞれ光学部材の屈折率、アッベ数である。
【００６６】
入射瞳位置は最も物体側のレンズ面（第１面）から入射瞳までの距離、射出瞳位置は最も像側のレンズ面（最終レンズ面）から射出瞳までの距離、前側主点位置は第１レンズ面から前側主点までの距離である。後側主点位置は最終レンズ面から後側主点までの距離である。各数値は近軸量であり、符号は物体側から像側の向きを正とする。
【００６７】
また、各数値実施例において、非球面には＊（アスタリスク）を付して示している。非球面形状は以下の式であらわされる。ここで、Ｋを円錐定数、Ａ４、Ａ６、Ａ８、Ａ１０等を非球面係数、光軸からの高さｈの位置での光軸方向の面位置の変位量をｘ（面頂点を基準とする）、Ｒを近軸曲率半径とする。
ｘ＝（ｈ２／Ｒ）／［１＋［１−（１＋Ｋ）（ｈ／Ｒ）２］１／２］＋Ａ４ｈ４＋Ａ６ｈ６＋Ａ８ｈ８＋Ａ１０ｈ１０＋・・・
【００６８】
また、「ｅ−Ｚ」の表示は「１０−Ｚ」を意味する。
【００６９】
各実施例において、バックフォーカス（ＢＦ）は最終レンズ面から近軸像面までの距離を空気換算長により表したものである。レンズ全長は最も物体側の面から最終レンズ面までの距離にバックフォーカスを加えたものである。
【００７０】
［数値実施例１］
単位 mm
面データ
面番号       r        d      nd         νd
1        240.035    2.50   1.85478    24.8
2        108.500    9.36   1.59522    67.7
3       -482.687    0.15
4         69.383    7.89   1.61800    63.3
5        224.904  (可変)
6*       505.927    2.50   1.85400    40.4
7*        26.955    6.75
8        -57.138    1.20   1.64000    60.1
9         26.431    8.07   1.80000    29.8
10        -66.109    2.78
11        -27.886    1.20   1.76385    48.5
12        -69.897  (可変)
13          ∞       0.00
14(絞り)    ∞       0.20
15         33.871    5.81   1.61800    63.3
16        103.050    1.00
17         32.377    1.70   2.05090    26.9
18         21.306   11.51   1.59522    67.7
19       -138.379    0.15
20*        73.606    3.45   1.58313    59.4
21        438.052  (可変)
22       -489.073    3.59   1.92286    20.9
23        -39.452    1.30   1.83400    37.2
24         67.210    2.63
25       -783.844    1.20   1.88300    40.8
26        149.035  (可変)
27*        32.147    9.84   1.49700    81.5
28*       -58.277    0.20
29        172.704    1.50   1.74000    28.3
30         19.742   11.21   1.53775    74.7
31       -146.383    5.79
32        -24.370    1.50   1.53775    74.7
33         58.625    4.94   2.05090    26.9
34       -471.925  (可変)
35          ∞       0.50   1.51633    64.1
36          ∞     (可変)
像面        ∞
非球面データ
第6面
K = 0.00000e+000  A 4= 4.06441e-006  A 6=-4.37759e-011  A 8=-2.14804e-012  A10= 9.05932e-015
第7面
K = 0.00000e+000  A 4= 2.31270e-006  A 6= 1.82244e-009  A 8= 1.69313e-011
第20面
K = 0.00000e+000  A 4=-1.01642e-005  A 6=-7.81821e-009  A 8= 1.05989e-012  A10=-1.62090e-015
第27面
K = 0.00000e+000  A 4=-2.52827e-006  A 6= 1.47024e-009  A 8=-1.34192e-011  A10= 1.04153e-014
第28面
K = 0.00000e+000  A 4= 9.69686e-007  A 6=-1.11866e-009  A 8=-1.67140e-012
各種データ
ズーム比      3.76
広角     中間     望遠
焦点距離      35.39    69.00   132.93
Fナンバー     2.85     2.85     2.85
半画角（°）  31.44    17.41     9.24
像高          21.64    21.64    21.64
レンズ全長   173.35   186.83   203.35
BF            17.95    27.32    34.01
d 5            6.55    25.68    46.04
d12           26.95    11.93     1.40
d21            2.50     6.84     8.99
d26            9.49     5.15     3.00
d34           16.00    25.36    32.06
d36            1.62     1.62     1.62
ズームレンズ群データ
群  始面    焦点距離
1    1     115.82
2    6     -23.58
3   13      31.77
4   22     -51.48
5   27      72.76
【００７１】
［数値実施例２］
単位 mm
面データ
面番号       r        d      nd         νd
1        342.139    2.50   1.84666    23.8
2         93.546   10.23   1.59522    67.7
3       -731.567    0.15
4         72.728    7.52   1.85150    40.8
5        207.778  (可変)
6*       140.731    2.50   1.85400    40.4
7*        22.998    7.80
8        -51.809    1.20   1.61800    63.3
9         49.021    0.15
10         39.955    5.46   1.76182    26.5
11        -61.097    1.90
12        -30.837    3.80   1.71736    29.5
13        -20.086    1.20   1.88300    40.8
14        -64.553  (可変)
15          ∞       0.00
16(絞り)    ∞       0.20
17         32.764    6.63   1.49700    81.5
18        254.715    1.00
19         33.278    1.70   2.05090    26.9
20         22.043   10.37   1.59522    67.7
21       -139.024    0.15
22*        70.085    3.85   1.58313    59.4
23      -3508.776  (可変)
24       -193.900    3.34   1.92286    20.9
25        -36.150    1.30   1.79360    37.1
26         65.601    2.82
27       -221.390    1.20   1.83481    42.7
28        159.291  (可変)
29*        41.628    9.34   1.58313    59.4
30*       -41.168    0.20
31       -164.993    1.50   1.71736    29.5
32         20.116   11.84   1.61800    63.3
33       -124.223    5.11
34        -27.783    1.50   1.51823    58.9
35         55.128    4.55   2.00100    29.1
36        882.461  (可変)
37          ∞       0.50   1.51633    64.1
38          ∞     (可変)
像面        ∞
非球面データ
第6面
K = 0.00000e+000  A 4= 2.41804e-006  A 6= 1.02495e-008  A 8=-3.04632e-011  A10= 4.18197e-014
第7面
K = 0.00000e+000  A 4=-4.89848e-007  A 6= 1.25496e-008  A 8=-7.12500e-012
第22面
K = 0.00000e+000  A 4=-9.94548e-006  A 6=-9.38629e-009  A 8=-4.79374e-014  A10=-2.03499e-014
第29面
K = 0.00000e+000  A 4=-2.43262e-006  A 6= 3.45769e-009  A 8=-2.94395e-012  A10= 1.00940e-014
第30面
K = 0.00000e+000  A 4= 4.24256e-006  A 6=-1.21205e-009  A 8= 7.79529e-012
各種データ
ズーム比      3.55
広角     中間     望遠
焦点距離      30.99    69.00   109.92
Fナンバー     2.85     2.85     2.85
半画角（°）  34.92    17.41    11.13
像高          21.64    21.64    21.64
レンズ全長   173.09   189.92   203.35
BF            17.95    28.25    33.97
d 5            5.92    30.28    44.98
d14           26.22     8.38     1.40
d23            2.50     7.48     8.99
d28            9.49     4.51     3.00
d36           16.00    26.30    32.02
d38            1.62     1.62     1.62
ズームレンズ群データ
群  始面    焦点距離
1    1     118.96
2    6     -22.72
3   15      29.99
4   24     -43.75
5   29      65.43
【００７２】
［数値実施例３］
単位 mm
面データ
面番号       r        d      nd         νd
1        201.426    2.50   1.96300    24.1
2        136.156    9.37   1.49700    81.5
3       -410.582    0.15
4         87.893    7.60   1.49700    81.5
5        325.037  (可変)
6*       129.688    2.50   1.85400    40.4
7*        31.460    6.90
8        -89.478    1.20   1.49700    81.5
9         30.766    5.58   1.80000    29.8
10        639.335    4.79
11        -30.588    1.00   1.49700    81.5
12       -239.598  (可変)
13          ∞       0.00
14(絞り)    ∞       0.20
15         36.384    5.40   1.71300    53.9
16        103.587    1.00
17         28.638    1.70   2.05090    26.9
18         20.482   12.13   1.49700    81.5
19       -129.056    0.15
20*        80.952    2.46   1.58313    59.4
21        107.478  (可変)
22       -139.689    3.40   1.92286    20.9
23        -38.180    1.30   1.72047    34.7
24         59.122    1.20
25         28.329    2.03   1.49700    81.5
26         35.053  (可変)
27*        33.075    8.58   1.58313    59.4
28*       -76.205    0.20
29        319.128    1.50   1.80000    29.8
30         20.121    8.97   1.53775    74.7
31        441.952    6.98
32        -23.152    1.50   1.49700    81.5
33         81.000    5.31   2.00100    29.1
34       -110.942  (可変)
35          ∞       0.50   1.51633    64.1
36          ∞     (可変)
像面        ∞
非球面データ
第6面
K = 0.00000e+000  A 4= 1.33029e-006  A 6= 2.01602e-010  A 8= 5.32787e-012  A10=-1.88793e-015
第7面
K = 0.00000e+000  A 4= 1.48497e-006  A 6=-1.15211e-009  A 8= 1.83902e-011
第20面
K = 0.00000e+000  A 4=-9.23735e-006  A 6=-5.95887e-009  A 8= 6.94350e-012  A10= 5.88095e-015
第27面
K = 0.00000e+000  A 4=-3.20781e-006  A 6=-3.49437e-009  A 8=-3.48622e-013  A10=-2.96060e-014
第28面
K = 0.00000e+000  A 4= 1.28522e-006  A 6=-4.74230e-010  A 8=-7.19861e-012
各種データ
ズーム比      3.69
広角     中間     望遠
焦点距離      40.06    69.00   147.97
Fナンバー     2.85     2.85     2.85
半画角（°）  28.37    17.41     8.32
像高          21.64    21.64    21.64
レンズ全長   173.35   191.43   218.30
BF            17.98    26.04    38.94
d 5            7.98    30.86    59.12
d12           28.56    15.69     1.40
d21            3.77     7.64     9.04
d26            9.49     5.62     4.22
d34           16.00    24.07    36.96
d36            1.65     1.65     1.65
ズームレンズ群データ
群  始面    焦点距離
1    1     149.29
2    6     -28.70
3   13      36.62
4   22     -99.65
5   27      99.48
【００７３】
以下の表に各実施例における種々の値を示す。
【００７４】
【表１】
2020197600.tif 000003
【００７５】
［撮像装置］
次に本発明の撮像装置の実施例について述べる。図７は、本実施例の撮像装置（デジタルスチルカメラ）１０の概略図である。撮像装置１０は、カメラ本体１３と、上述した実施例１乃至３のいずれかと同様であるズームレンズ１１と、ズームレンズ１１によって形成される光学像を光電変換する受光素子（撮像素子）１２を備える。
【００７６】
本実施例の撮像装置１０は、広いズーム域においてＦナンバーが小さく高い光学性能のズームレンズ１１を有するため、高品位な画像を得ることができる。
【００７７】
なお、受光素子１２としては、ＣＣＤやＣＭＯＳセンサ等の撮像素子を用いることができる。このとき、受光素子１２により取得された画像の歪曲収差や色収差等の諸収差を電気的に補正することにより、出力画像を高画質化することもできる。
【００７８】
なお、上述した各実施例のズームレンズＢ０は、図７に示したデジタルスチルカメラに限らず、銀塩フィルム用カメラやビデオカメラ、望遠鏡等の種々の光学機器に適用することができる。
【００７９】
以上、本発明の好ましい実施形態及び実施例について説明したが、本発明はこれらの実施形態及び実施例に限定されず、その要旨の範囲内で種々の組合せ、変形及び変更が可能である。
【符号の説明】
【００８０】
Ｂ０  ズームレンズ
Ｂ１  第１レンズ群
Ｂ２  第２レンズ群
Ｂ３  第３レンズ群
Ｂ４  第４レンズ群
Ｂ５  第５レンズ群
【図１】
2020197600.tif 000004
【図２】
2020197600.tif 000005
【図３】
2020197600.tif 000006
【図４】
2020197600.tif 000007
【図５】
2020197600.tif 000008
【図６】
2020197600.tif 000009
【図７】
2020197600.tif 000010